(57)【特許請求の範囲】
【請求項１】
洗浄水を貯溜するタンク本体と、
該タンク本体の底部に備えられる排水口と、
作業者による前記排水口を開く操作を受け付ける操作器具と、
前記操作器具が操作されたときに前記排水口を開くとともに、前記タンク本体の洗浄水の水位から定まるタイミングで前記排水口を閉じることにより、前記排水口からの排水量を調整する排水量調整手段とを備える便器洗浄タンク装置において、
前記排水量調整手段は、
前記排水口を開閉する一の弁体と、
前記一の弁体にそれぞれ連係して、前記一の弁体の閉弁のタイミングを互いに異なるタイミングに定める複数の弁駆動手段とを備え、
前記複数の弁駆動手段のうちの一の弁駆動手段は、前記弁体に接続される第１の浮子を備え、前記一の弁駆動手段を除いた他の弁駆動手段は、前記排水口を開くに際して、前記弁体を下方から支持する支持架と、該支持架に接続される第２の浮子とを備えることを特徴とする便器洗浄タンク装置。
【請求項２】
請求項１に記載の便器洗浄タンク装置において、
前記一の弁駆動手段を除いた他の弁駆動手段に備えられる前記支持架は、
前記排水口を閉じているときに、前記弁体と非接触な状態で静止するように構成される便器洗浄タンク装置。
【請求項３】
請求項１または請求項２に記載の便器洗浄タンク装置において、
前記支持架は、
環状部と、
該環状部の下側端面から内側方向に張り出す内向きフランジ部とを備え、該内向きフランジ部の上面で前記弁体を支持し得るように構成される便器洗浄タンク装置。
【請求項４】
請求項１に記載の便器洗浄タンク装置において、
前記支持架は、
前記弁体の底面の外周近くを１または複数の地点で支持可能な１または複数の突状部材を備える便器洗浄タンク装置。
【請求項５】
請求項１ないし請求項４のいずれかに記載の便器洗浄タンク装置であって、
前記弁駆動手段は３以上の数であり、
前記支持架を備える弁駆動手段のうちの一の弁駆動手段の支持架は、前記弁体を直接支持し得る構成であり、
前記支持架を備える弁駆動手段のうちの前記一の弁駆動手段を除いた他の弁駆動手段の支持架は、他の弁駆動手段の支持架を支持することにより前記弁体を間接的に支持し得る構成である便器洗浄タンク装置。
【発明の詳細な説明】
【０００１】
【発明の属する技術分野】
本発明は、タンク本体から便器に流す洗浄水の量を複数の水量から選択的に切換えて、便器への排水を行なう便器洗浄タンク装置に関する。
【０００２】
【従来の技術】
従来より、便器洗浄タンク装置は、小洗浄時（汚物が小便であるときの洗浄時）に大洗浄時（汚物が大便であるときの洗浄時）より排水量が少なくてすむことから、節水を目的として、洗浄水の排水量を大小２段階に切り替わるように構成されていた。具体的には、２つの洗浄弁を用意し、それぞれの弁体の閉弁タイミングを切り替える構成とすることで、２つの排水量を実現している。
【０００３】
この種の便器洗浄タンク装置としては、弁体の閉弁タイミングを、弁体につながるフロートの高さ位置によって決まるように構成したものがよく知られている（特開平７−３２４３６２号公報等）。図１９は、この構成の便器洗浄タンク装置２００の説明図である。便器洗浄タンク装置２００は、タンク本体２０２の底部に設けた排水口２０４を開閉する弁装置２０６と、この弁装置２０６を操作する操作ハンドル２０８とを備えている。弁装置２０６は、排水口２０４のシート部２０４ａに着座しかつ連通孔２１０ａを有する下部弁体２１０と、この下部弁体２１０の連通孔２１０ａを開閉する上部弁体２１２とを備えている。
【０００４】
下部弁体２１０および上部弁体２１２は、同じ軸体２１４により回動自在に支持されており、それらの一端部を操作ハンドル２０８のスピンドル２０８ａに玉鎖２１６ａ，２１６ｂで連結し、操作ハンドル２０８の操作により玉鎖２１６ａ，２１６ｂにより引き上げてそれらを選択的に開弁させている。そして、玉鎖２１６ａ，２１６ｂには、浮子２１８ａ，２１８ｂがそれぞれ取り付けられており、それらの浮子２１８ａ，２１８ｂの位置に水位が達したときに浮子２１８ａ，２１８ｂが浮力を少なくすることにより閉弁している。下部弁体２１０に連結される浮子２１８ｂの高さ位置は、上部弁体２１２に連結される浮子２１８ａの高さ位置よりも低くなっており、これにより、下部弁体２１０は、上部弁体２１２よりもタンク本体の水位が低くなってから閉弁することになる。すなわち、下部弁体２１０の閉弁タイミングは、上部弁体２１２の閉弁タイミングよりも遅れることになり、この結果、排水口２０４からの排水量は大小２段階の切り替えが可能となる。
【０００５】
【発明が解決しようとする課題】
しかしながら、上記従来の便器洗浄タンク装置２００では、下部弁体２１０と上部弁体２１２というように弁体が複数設けられていることから、シール部が複数となって、シール部に必要なパッキン等の部品の点数が増大する問題が発生した。また、弁体が複数あることや、弁体が複数あることによる弁装置全体の重さの増加に伴う浮子の大型化によって、装置全体が大型化する問題も発生した。
【０００６】
なお、上記図１９に示した構成では、弁装置２０６のコンパクト化を目的として、下部弁体２１０の上に上部弁体２１２を載せた形となっているが、この構成では、小洗浄用の排水口径は大洗浄用の排水口径よりも小さくなる。このために、節水時においては、小洗浄時での便器の水洗機能が劣るという問題が発生した。
【０００７】
本発明は、上記従来の技術の問題を解決するものであり、部品点数の低減や装置の小型化等を図ることを目的とする。
【０００８】
【課題を解決するための手段およびその作用・効果】
上記課題を解決するためになされたこの発明の便器洗浄タンク装置は、洗浄水を貯溜するタンク本体と、該タンク本体の底部に備えられる排水口と、作業者による前記排水口を開く操作を受け付ける操作器具と、前記操作器具が操作されたときに前記排水口を開くとともに、前記タンク本体の洗浄水の水位から定まるタイミングで前記排水口を閉じることにより、前記排水口からの排水量を調整する排水量調整手段とを備える便器洗浄タンク装置において、前記排水量調整手段は、前記排水口を開閉する一の弁体と、前記一の弁体にそれぞれ連係して、前記一の弁体の閉弁のタイミングを互いに異なるタイミングに定める複数の弁駆動手段とを備え、前記複数の弁駆動手段のうちの一の弁駆動手段は、前記弁体に接続される第１の浮子を備え、前記一の弁駆動手段を除いた他の弁駆動手段は、前記排水口を開くに際して、前記弁体を下方から支持する支持架と、該支持架に接続される第２の浮子とを備えることを特徴とする。
【０００９】
この発明の便器洗浄タンク装置は、弁体が一つであることから、シール部が１つですむ。このために、シール部に必要となるパッキン等の部品の点数を低減できるとともに、シール性を高めることができる。また、弁体が一つであることから、装置の小型化を図ることができる。さらに、弁体が一つであることから、いずれの弁駆動手段による排水も一の排水口から行なわれることになり、このために、小量の排水を行なう際にも、排水の流速を大量の排水時と同じにすることができることから、便器の水洗機能が劣るということもない。
【００１０】
しかも、第１および第２の浮子の内の少なくとも第２の浮子を引っ張り上げることで、前記排水口を開くに際して、第２の浮子に接続される支持架と共に、該支持架により支持される弁体を引き上げることができる。このために、簡単な構成で、複数の弁駆動手段を一の弁体にそれぞれ連係させることができる。
【００１４】
上記支持架を備える便器洗浄タンク装置において、前記一の弁駆動手段を除いた他の弁駆動手段に備えられる前記支持架は、前記排水口を閉じているときに、前記弁体と非接触な状態で静止するように構成することができる。
【００１５】
この構成によれば、排水口の閉状態時に、支持架と弁体は非接触であることから、支持架が弁体を支持することで弁体の閉止の強さを弱めるようなこともない。また、弁体だけを開く際に、弁体の上向きの回動に伴って支持架を連れ添って回動させるようなこともない。
【００１６】
上記支持架を備える便器洗浄タンク装置において、前記支持架は、環状部と、該環状部の下側端面から内側方向に張り出す内向きフランジ部とを備え、該内向きフランジ部の上面で前記弁体を支持し得る構成とすることができる。
【００１７】
この構成によれば、内向きフランジ部の上面に置くように弁体が支持されることから、支持架を上向きに回動するだけで、支持架と弁体とを同時に上向きに移動することができ、一方、支持架はそのままで弁体だけを上向きに移動することも可能である。
【００１８】
上記支持架を備える便器洗浄タンク装置において、前記支持架は、前記弁体の底面の外周近くを１または複数の地点で支持可能な１または複数の突状部材を備える構成とすることができる。
【００１９】
この構成によれば、突状部材だけで弁体の支持がなされることから、支持架を形成する材料が少なくてもすむ。
【００２０】
この発明の便器洗浄タンク装置において、前記弁駆動手段は３以上の数であり、前記支持架を備える弁駆動手段のうちの一の弁駆動手段の支持架は、前記弁体を直接支持し得る構成であり、前記支持架を備える弁駆動手段のうちの前記一の弁駆動手段を除いた他の弁駆動手段の支持架は、他の弁駆動手段の支持架を支持することにより前記弁体を間接的に支持し得る構成とすることができる。
【００２１】
この構成によれば、弁駆動手段が３以上の数となっても支持架を用いることで、簡単な構成で、３以上の数の弁駆動手段を一の弁体にそれぞれ連係させることができる。
【００２３】
【発明の実施の形態】
以上説明した本発明の構成・作用を一層明らかにするために、以下本発明の好適な実施例について説明する。
【００２４】
図１は本発明の一実施の形態にかかる便器洗浄タンク装置１０を示す断面図である。図１において、便器洗浄タンク装置１０は、洗浄水の排水量を大用洗浄と小用洗浄とに変更できるものであり、便器（図示省略）に装着されるものである。便器洗浄タンク装置１０は、底部に排水口２０ａを有するタンク本体２０と、タンク本体２０の上部に設けられた給水手段としてのボールタップ（図示省略）と、排水口２０ａを開閉して洗浄水の排水を行なう排水量調整手段としての排水装置３０と、タンク本体２０のタンク側壁部２１の上部に装着されて小用玉鎖４０ａ及び大用玉鎖４０ｂを介して排水装置３０を開閉操作するための開弁操作器具４０とを備えている。
【００２５】
上記ボールタップは、周知の構成であり、すなわち、水道管に接続された給水弁と、タンク本体２０の水位に応じて上下動して上記給水弁を開閉するフロートとを備え、タンク本体２０内の洗浄水の水位が低下したときにフロートが下降することにより給水弁を開き、一方、タンク本体２０内への給水により水位が上昇したときにフロートが上昇することにより給水弁を閉じ、これにより、タンク本体２０内を所定の満水位置に維持するものである。
【００２６】
図２は、排水装置３０とその周囲を示す拡大断面図であり、図３は、排水装置３０とその周囲を示す拡大平面図である。図２に示すように、上記排水口２０ａは、タンク底部２２のほぼ中央に形成されており、その排水口２０ａに管状の排水装置本体３２が接続されている。排水装置本体３２の上端は斜めに開口されており、その開口縁は、タンク本体２０の内部に突出した状態で弁座３２ａを構成している。排水装置本体３２には、排水管５０が内嵌されており、この排水管５０は便器のボール部に接続されている。
【００２７】
図２および図３に示すように、排水装置本体３２には、その側方に起立して下端が排水装置本体３２に連絡するオーバーフロー管３４が設けられている。このオーバーフロー管３４は弁体の支持部を兼ねており、弁座３２ａに対応する弁装置３６がこのオーバーフロー管３４の基部に枢着している。
【００２８】
弁装置３６は、弁体６０と、弁体６０用のアーム６２と、弁体６０を支持する支持架６４と、支持架６４用のアーム６６とを備えている。図４は、弁体６０とアーム６２を示す平面図であり、図５は、図４のＡ−Ａ線に沿った断面図である。両図に示すように、弁体６０は、円板状に形成されており、その上面には、アーム６２，６２が該面と平行に延びるように接着される。図３に示すように、このアーム６２，６２がオーバーフロー管３４を挟持して、軸６８，６８により該管３４に枢着されている。したがって、弁体６０はアーム６２の枢支部を中心に上下に回動自在であり、上向きの回動により弁座３２ａから離れて排水口２０ａを開状態とし、この開状態から下向きの回動により、弁座３２ａに着座して排水口２０ａを閉状態とする。なお、弁体６０における弁座３２ａと着座する部位には、図示はしないが、円環状の平たいパッキンが固着されており、そのパッキンに下方から弁座３２ａが埋まるように密着することで、シール性が確保されている。
【００２９】
上記のように弁体６０にパッキンを設ける構成に替えて、弁座３２ａ側にパッキンを設けるように構成してもよい。
【００３０】
図６は、支持架６４とアーム６６を示す平面図であり、図７は、図６のＢ−Ｂ線に沿った断面図である。両図に示すように、支持架６４は、一部に切り欠きを有する円環部６４ａと、円環部６４ａの軸方向の下側端面から円環部６４ａの内側方向に張り出す内向きフランジ部６４ｂとから構成されている。なお、円環部６４ａの内径ｔ１と、内向きフランジ部６４ｂの先端で形成される円の径ｔ２は、弁体６０の直径ｔ０に対して次式（１）の関係を持つように大きさが定められている。
ｔ１＞ｔ０＞ｔ２    …  （１）
【００３１】
（１）式の関係から、支持架６４の円環部６４ａの内壁と内向きフランジ部６４ｂの上面とから形成される凹部に、弁体６０は収納可能となる。なお、この収納時には、弁体６０の底面の縁部が支持架６４の内向きフランジ部６４ｂと接して支持され、その縁部を除いた底面部分は外に開いた状態となってる。
【００３２】
なお、支持架６４の円環の切欠部に、支持架６４用のアーム６６，６６が支持架６４と一体的に設けられている。アーム６６，６６は、支持架６４を上方から支える柄杓の柄のような形状をしたものである。図３に示すように、このアーム６６，６６がオーバーフロー管３４を挟持して、軸６８，６８により該管３４に枢着されている。したがって、支持架６４は、アーム６６の枢支部を中心に上下に回動自在であり、下向きの回動により、支持架６４は排水装置本体３２に当たって止まる。このとき、図２に示すように、支持架６４は、弁体６０の下方に位置して、弁体と少しのクリアランスを空けた状態となる。このときの弁体６０は、弁座３２ａに着座可能な状態であり、排水口２０ａを閉状態となり得る。一方、支持架６４の上向きの回動により、弁体６０を下方から支持しながら弁体６０を弁座３２ａから引き離して排水口２０ａを開状態とする。
【００３３】
なお、図５に示すように、弁体６０の上面部には、弁体鎖取付部６０ａが突設されており、この弁体鎖取付部６０ａは、開弁操作器具４０の小用玉鎖４０ａの下端に連結されている。この小用玉鎖４０ａの途中には、小用フロート（浮子）７０（図１参照）が取り付けられている。この小用フロート７０の取付位置は、該取付位置Ｈ１より上方の満水位置Ｈｗ１までの洗浄水が小用洗浄時に排出される水量となるように設定されている。また、図６および図７に示すように、支持架６４のアーム６６と反対側の端部には、支持架鎖取付部６９が設けられている。この支持架鎖取付部６９は、開弁操作器具４０の大用玉鎖４０ｂの下端に連結されている。この大用玉鎖４０ｂの途中には、大用フロート（浮子）７２（図１参照）が取り付けられている。この大用フロート７２の取付位置は、該取付位置Ｈ２より上方の満水位置Ｈｗ１までの洗浄水が大用洗浄時に排出される水量となるように設定されている。
【００３４】
図８はタンク本体２０のタンク側壁部２１の上部に設けられた開弁操作器具４０の断面図である。開弁操作器具４０は、タンク本体２０のタンク側壁部２１に固定されかつ貫通孔４１ｂを有するスリーブ４１と、上記貫通孔４１ｂを貫通することでスリーブ４１に対して回転自在に支持されたスピンドル４２と、スピンドル４２の一端部に固定された操作用のレバーハンドル４３と、タンク本体２０の内部においてスピンドル４２に取り付けられる大洗浄用作動レバー４４及び小洗浄用作動レバー４５とを備えている。上記スリーブ４１は、一端部でタンク側壁部２１に当接したフランジ部４１ａを介して支持され、他端部でパッキン４６を介してナット４８で締結されることによりタンク側壁部２１に固定されている。また、レバーハンドル４３は、スピンドル４２の一端部にネジ４９により固定されており、その下部に操作部４３ａを備えている。したがって、開弁操作器具４０は、操作部４３ａを時計方向または反時計方向へ回動すると、スリーブ４１に支持されたスピンドル４２を中心にそれらの方向に回転する。
【００３５】
また、小洗浄用作動レバー４５は、スピンドル４２の一端部に固定された円筒部４５ａと、この円筒部４５ａの外周下部に突設されたレバー部４５ｂとを備えており、上記円筒部４５ａは、スピンドル４２に外嵌して回転及び軸方向への移動ができないように取り付けられて、通常はレバー部４５ｂがスピンドル４２から下向きに延びている。
【００３６】
図９は図８のＣ−Ｃ線に沿った断面図である。大洗浄用作動レバー４４は、円筒部４４ａと、この円筒部４４ａの一端に突設されたレバー部４４ｂとを備えている。円筒部４４ａには、軸線方向の一端部に所定範囲の角度にわたって円周方向に延びる切欠部４４ｃが形成されている。円筒部４４ａは、小洗浄用作動レバー４５の円筒部４５ａの基部外周面に、上記切欠部４４ｃを先端方向に向けて嵌合し、回転自在ではあるが、軸方向に移動不能に小洗浄用作動レバー４５に支承されており、通常はレバー部４４ｂがスピンドル４２から下向きに延びている。
【００３７】
また、小洗浄用作動レバー４５には、該小洗浄用作動レバー４５の回転を大洗浄用作動レバー４４に伝達するために、大洗浄用作動レバー４４の切欠部４４ｃに係合して、その端面に当接する突出部４５ｃが形成されている。突出部４５ｃは、この切欠部４４ｃとの係合状態において小洗浄用作動レバー４５が大洗浄用作動レバー４４と一体に回転するように形成されている。
【００３８】
こうした開弁操作器具４０において、レバーハンドル４３を時計方向に回転操作すれば、小洗浄用作動レバー４５が時計方向に回転するとともに、大洗浄用作動レバー４４のその切欠部４４ｃと小洗浄用作動レバー４５の突出部４５ｃとの係合により、大洗浄用作動レバー４４も時計方向に回転する。これにより、小用玉鎖４０ａと大用玉鎖４０ｂがそれぞれ引き上げられる。
【００３９】
また、レバーハンドル４３を反時計方向に回転操作すれば、それに伴って小洗浄用作動レバー４５が反時計方向に回転して小用玉鎖４０ａが引き上げられる。しかし、小洗浄用作動レバー４５の反時計方向への回転によりその突出部４５ｃが大洗浄用作動レバー４４の切欠部４４ｃの端面から離れる方向へ移動するため、大洗浄用作動レバー４４は回転せず、大用玉鎖４０ｂは引き上げられない。
【００４０】
開弁操作器具４０の操作によって弁装置３６がどのように開閉されるかを次に説明する。図１０は、閉弁状態にある弁装置３６を示す斜視図である。開弁操作器具４０が操作されないとき、図１０に示すように、弁体６０および支持架６４は水圧を上側から受けて、弁装置３６の弁体６０は弁座３２ａ（図２）に着座した状態となって排水口２０ａを閉状態とする。なお、このとき、前述したように、支持架６４は、弁体６０の下方に位置して、弁体と少しのクリアランスを空けた状態となる（図２参照）。
【００４１】
図１１は、小洗浄状態にあるときの弁装置３６を示す斜視図である。開弁操作器具４０において、レバーハンドル４３が反時計方向に回転操作されると、前述したように、大用玉鎖４０ｂは引き上げられずに小用玉鎖４０ａだけが引き上げられる。これにより、図１１に示すように、小用玉鎖４０ａに接続される弁体６０が引き上げられることから、排水口２０ａは開状態となって排水が開始される。その後、タンク本体２０内の洗浄水の水位が小用フロート７０の取付位置Ｈ１に達するまでの間、小用フロート７０の浮力により、弁装置３６は開弁状態を維持する。洗浄水の水位が小用フロート７０の取付位置Ｈ１に達すると、小用フロート７０浮力は急減して排水口２０ａの吸引力により弁体６０は弁座３２ａに着座して閉止されることから、排水口２０ａは閉状態となって排水は終了する。
【００４２】
図１２は、大洗浄状態にあるときの弁装置３６を示す斜視図である。開弁操作器具４０において、レバーハンドル４３が時計方向に回転操作されると、前述したように、小用玉鎖４０ａと大用玉鎖４０ｂがそれぞれ引き上げられる。これにより、小用玉鎖４０ａに接続される弁体６０と大用玉鎖４０ｂに接続される支持架６４が共に引き上げられることから、排水口２０ａは開状態となって排水が開始される。その後、タンク本体２０内の洗浄水の水位が大用フロート７２の取付位置Ｈ２に達するまでの間、小用フロート７０の浮力と大用フロート７２の浮力により、弁装置３６は開弁状態を維持する。洗浄水の水位が大用フロート７２の取付位置Ｈ２に達すると、大用フロート７２０の浮力は急減して（小用フロート７０の浮力も既に減少している）、排水口２０ａの吸引力により弁体６０は支持架６４とともに下側に回動して、弁体６０は弁座３２ａに着座して閉止されることから、排水口２０ａは閉状態となって排水は終了する。
【００４３】
なお、この実施の形態（以下、実施例と呼ぶ）の開弁操作器具４０は、前述したように、大洗浄時に、小用玉鎖４０ａと大用玉鎖４０ｂを共に引き上げるよう構成されているが、これに替えて、大洗浄時に、小用玉鎖４０ａを引き上げることなく大用玉鎖４０ｂだけを引き上げるような構成のものとすることもできる。この構成によれば、大用玉鎖４０ｂの引き上げにより支持架６４が引き上げられるが、この際に、支持架６４に引っかかる形で弁体６０も引き上げられことになり、排水口２０ａは開状態となる。
【００４４】
以上詳述したように、この実施例の便器洗浄タンク装置１０では、タンク本体２０の排水口２０ａを開閉する手段として一の弁体６０が設けられ、この弁体６０を、小用フロート７０と大用フロート７２の双方から開閉駆動できるように構成されている。このため、弁体６０が一つであることから、シール部が１つですむ。したがって、シール部に必要となるパッキン等の部品の点数が少なくてすむとともに、シール性を高めることができる。また、弁体６０が一つであることから、装置全体をコンパクトなものとすることができる。特に、この実施例では、支持架６４自体は弁体ではないため、弁体６０の重さを小さくすることができることから、小用フロート７０と大用フロート７２の小型化が可能となる。このため、装置全体をよりコンパクトなものとすることができる。
【００４５】
さらに、排水口２０ａを開閉する弁体６０が一つであることから、排水は完全に同一口径の排水口から行なわれることになる。このために、小洗浄時における排水の流速を大洗浄時のものと同じにすることができることから、節水時においても便器の水洗機能が劣るということもない。さらにまた、排水を小洗浄用と大洗浄用の２つの排水口から行なう従来例においては、小洗浄用の弁体は、排水口径が小さいことから、その受ける差圧が小さくなるため、シール性を確保することが困難であるが、この実施例では、弁体６０が一つであることから、小洗浄時にも十分なシール性を確保することができる。
【００４６】
上記便器洗浄タンク装置１０では、小用フロート７０と大用フロート７２の浮力により、閉弁のタイミングを定めることができ、特に、弁装置３６に接続される小用フロート７０と大用フロート７２の水面からの距離を調整するだけで、閉弁のタイミング、延いては排水量を小用、大用というように異なったものとすることができる。
【００４７】
また、上記便器洗浄タンク装置１０の弁装置３６では、小用フロート７０は弁体６０に接続され、大用フロート７２は、弁体６０を支持する支持架６４に接続されるように構成されている。このために、少なくとも大用フロート７２を引っ張り上げることで、大用フロート７２に接続される支持架６４と共に、その支持架６４により支持される弁体６０を引き上げることができる。このために、簡単な構成で、一の弁体６０を小用と大用に開駆動することができる。
【００４８】
上記構成の支持架６４は、排水口２０ａを開くに際して、内向きフランジ部６４ｂの上面で弁体６０を支持するように構成されている。このために、支持架６４を上向きに回動するだけで、支持架６４と弁体６０とを同時に上向きに移動することができ、一方、支持架６４はそのままで弁体６０だけを上向きに移動することも可能である。
【００４９】
さらに、上記便器洗浄タンク装置１０では、排水口２０ａを閉じている時には、弁体６０と支持架６４とが非接触な状態となっていることから、非洗浄時に、支持架６４が弁体６０に当たって弁体６０のシール性を弱めるようなこともない。また、小洗浄時に弁体６０だけを開く際に、弁体６０の上向きの回動に伴って支持架を連れ添って回動させるようなこともない。
【００５０】
他の実施の形態について次に説明する。図１３は、第２の実施の形態（前述した実施の形態を第１の実施形態と呼び、他の実施形態を順に第２、第３の実施の形態と呼ぶ）にかかる便器洗浄タンク装置に備えられる支持架１００を示す斜視図である。前記第１の実施形態の便器洗浄タンク装置１０に備えられる支持架６４は、円環部６４ａの全周にわたって張り出す内向きフランジ部６４ｂを備えているが、この第２の実施形態の支持架１００は、図示するように、内向きフランジ部に替えて、複数（この実施の形態では３個）の突状部材１０２を、円環部１０４の軸方向の下側端面から内側方向に張り出すように備える構成である。
【００５１】
この構成の第２の実施形態では、３つの突状部材１０２だけで、前記第１の実施形態と同様に弁体を下側から支持することができることから、支持架を形成する材料が少なくてすむ。
【００５２】
なお、この第２の実施形態に替えて、突状部材１０２の数を３に替えて、他の複数の数とすることもできる。さらには、突状部材１０２の数を１にすることもできる。この場合、１の突状部材は、図１３においては支持架鎖取付部１０６の裏側にある突状部材１０２をそのまま用いる構成とする。この構成によれば、大洗浄時に、この支持架鎖取付部１０６の裏側にある突状部材１０２が弁体６０を引っかけて支持架とともに弁体６０を上向きに回動させることができる。
【００５３】
図１４は、第３の実施形態にかかる便器洗浄タンク装置に備えられる弁装置１１０を示す断面図である。前記第１の実施形態の便器洗浄タンク装置１０に備えられる支持架６４は、円環部６４ａの内径ｔ１を弁体６０の直径ｔ０よりも大きくすることで、円環部６４ａの内側に弁体６０が収納されるように構成されていたが、これに替えて、図示するように、支持架１１２の円環部１１２ａの内径ｔ１を弁体１１４の直径ｔ０よりも所定の長さ（２×Ｓ０）だけ小さくして、さらに、弁体１１４の下側円縁部を全周にわたって切り欠き、その切欠部１１４ａに、支持架１１２の円環部１１２ａが収まるように構成する。なお、前記長さＳ０は、円環部１１２ａの厚さよりも若干大きい長さである。円環部１１２ａが弁体１１４の切欠部１１４ａに収まったとき、支持架１１２の内向きフランジ部１１２ｂの上面が弁体１１４の底面に当接するように、円環部１１２ａの高さが決められている。
【００５４】
かかる構成の第３の実施形態では、支持架１１２を弁体１１４の裏側の縁部に収納することができる。したがって、弁装置全体をコンパクト化することができる。
【００５５】
図１５は、第４の実施形態にかかる便器洗浄タンク装置に備えられる弁装置１２０を示す断面図である。前記第１の実施形態の便器洗浄タンク装置１０では、洗浄水の排水量を大小２段階に切り替えるように構成されていたが、これに替えて、この第４の実施の形態では、洗浄水の排水量を大中小の３段階に切り替えるように構成されている。この第４の実施形態の弁装置１２０は、第１の実施形態と同様の弁体１２２および支持架（第１支持架）１２４を備え、さらに、第１支持架１２４を支持する第２支持架１２６を備えるよう構成されている。第２支持架１２６は、第１支持架１２４と同様に、円環部１２６ａと、円環部１２６ａの軸方向の下側端面から内側方向に張り出す内向きフランジ部１２６ｂとから構成される。第２支持架１２６は、第１支持架１２４と弁体１２２の関係と同様に、その内向きフランジ部１２６ｂで下方向から第１の支持架１２４を支持する。
【００５６】
第１支持架１２４および第２支持架１２６には、鎖取付部１２４ａ、１２６ｃがそれぞれ設けられている。弁体１２２の鎖取付部１２２ａには小用フロート（図示せず）が、第１支持架１２４の鎖取付部１２４ａには中用フロート（図示せず）が、第２支持架１２６の鎖取付部１２６ｃには大用フロート（図示せず）がそれぞれ設けられている。
【００５７】
図１６は、閉止状態にある弁装置１２０を模式的に示す説明図である。弁体１２２の下方には、少しのクリアランスを空けて第１支持架１２４が静止し、第１支持架１２４の下方には、少しのクリアランスを空けて第２支持架１２６が静止した状態となっている。なお、第１支持架１２４および第２支持架１２６の停止位置は、図示しないストッパにより下向きの回動を制止することにより決まっている。
【００５８】
かかる構成の第４実施の形態では、洗浄水の排水量を大中小３段階に切り替える構成を、排水口と弁体をそれぞれ１つで実現することができる。したがって、第１の実施形態と同様に、シール部に必要となるパッキン等の部品の点数を少なくてすませるとともに、シール性を高めることができ、さらには、装置全体をコンパクトなものとすることができる。
【００５９】
図１７は、第５の実施形態にかかる便器洗浄タンク装置に備えられる弁装置１３０を示す斜視図である。前記第１の実施形態の便器洗浄タンク装置１０では、洗浄水の排水量をフロートを用いて調整するように構成されていたが、これに替えて、この第５の実施形態では、排水口の開弁によりタンク内に発生する下降流の圧力を上面に受ける制動板を用いて大用の排水量を調整する構成とする。この制動板は、特開平８−２３２３１９号公報に記載の便器洗浄タンク装置に用いられているものと同じものである。
【００６０】
図１７に示すように、支持架１３２用の１対のアーム１３４，１３４は、オーバーフロー管１３６への枢支部に対して支持架１３２とは反対側に更に延びて、その先端部に制動板取付部１４０をそれぞれ形成しており、この制動板取付部１４０，１４０の下面相互に亘って制動板１４２が取り付けられている。なお、弁体１４４には、前記第１の実施形態と同様に小用フロート１４６が小用玉鎖１４８を介して接続されている。弁体１４４および支持架１３２は第１の実施形態の弁体６０および支持架６４と同一のものである。なお、支持架１３２の支持架鎖取付部１３２ａには、図示しない大用玉鎖が接続されている。
【００６１】
かかる構成の便器洗浄タンク装置では、大用玉鎖が引っ張られて、支持架１３２および弁体１４４が上向きに回動されると、排水口１５０は開状態となる。弁体が閉止方向に動くと、制動板１４２に水の抵抗（圧力）が作用し、閉まろうとする弁体の動きを抑制する。その後、図示しないタンク本体の水位が低くなって制動板１４２が水面上に露出するようになると、制動板１４２の上面にかかる圧力もなくなるために、弁体１４４および支持架１３２を持ち上げておくことができなくなり、弁体１４４および支持架１３２は下向きに回動して、排水口は閉止される。
【００６２】
したがって、この第５の実施形態の便器洗浄タンク装置では、前記第１の実施の形態と同様の作用効果を奏することができ、さらには、制動板１４２を用いることで、フロートを用いたよりも構造を簡単にすることができ、しかも制動板１４２を用いたことで弁装置の安定した作動を得ることができる。
【００６３】
図１８は、第６の実施形態にかかる便器洗浄タンク装置に備えられる弁装置１６０とその周囲を示す断面図である。前記第１の実施形態の便器洗浄タンク装置１０では、弁装置３６の閉止時に、弁体６０と支持架６４とは接触しない構成であったが、これに替えて、この第６の実施形態では、弁装置１６０の閉止時においても、図示しないストッパにより、支持架１６４の内向きフランジ部１６４ｂが弁体１６２に接触するように構成されている。
【００６４】
この構成の第６の実施形態では、第１の実施形態と同様に、シール部に必要となるパッキン等の部品の点数の削減、シール性の向上、装置全体のコンパクト化等の効果を奏する。
【００６５】
なお、この発明は上記第１ないし第６の実施形態に限られるものではなく、その要旨を逸脱しない範囲において種々の態様において実施することが可能である。
【図面の簡単な説明】
【図１】本発明の第１の実施の形態にかかる便器洗浄タンク装置１０を示す断面図である。
【図２】便器洗浄タンク装置１０にかかる排水装置３０とその周囲を示す拡大断面図である。
【図３】排水装置３０とその周囲を示す拡大平面図である。
【図４】弁体６０とアーム６２を示す平面図である。
【図５】図４のＡ−Ａ線に沿った断面図である。
【図６】支持架６４とアーム６６を示す平面図である。
【図７】図６のＢ−Ｂ線に沿った断面図である。
【図８】開弁操作器具４０を示す断面図である。
【図９】図８のＣ−Ｃ線に沿った断面図である。
【図１０】閉弁状態にある弁装置３６を示す斜視図である。
【図１１】小洗浄状態にあるときの弁装置３６を示す斜視図である。
【図１２】大洗浄状態にあるときの弁装置３６を示す斜視図である。
【図１３】第２の実施の形態にかかる便器洗浄タンク装置に備えられる支持架１００を示す斜視図である。
【図１４】第３の実施形態にかかる便器洗浄タンク装置に備えられる弁装置１１０を示す断面図である。
【図１５】第４の実施形態にかかる便器洗浄タンク装置に備えられる弁装置１２０を示す断面図である。
【図１６】閉止状態にある弁装置１２０を模式的に示す説明図である。
【図１７】第５の実施形態にかかる便器洗浄タンク装置に備えられる弁装置１３０を示す斜視図である。
【図１８】第６の実施形態にかかる便器洗浄タンク装置に備えられる弁装置１６０とその周囲を示す断面図である。
【図１９】従来の便器洗浄タンク装置２００を示す説明図である。
【符号の説明】
１０…便器洗浄タンク装置
２０…タンク本体
２０ａ…排水口
２１…タンク側壁部
２２…タンク底部
３０…排水装置
３２…排水装置本体
３２ａ…弁座
３４…オーバーフロー管
３６…弁装置
４０…開弁操作器具
４０ａ…小用玉鎖
４０ｂ…大用玉鎖
４１…スリーブ
４１ａ…フランジ部
４１ｂ…貫通孔
４２…スピンドル
４３…レバーハンドル
４３ａ…操作部
４４…大洗浄用作動レバー
４４ａ…円筒部
４４ｂ…レバー部
４４ｃ…切欠部
４５…小洗浄用作動レバー
４５ａ…円筒部
４５ｂ…レバー部
４５ｃ…突出部
４６…パッキン
４８…ナット
４９…ネジ
５０…排水管
６０…弁体
６０ａ…弁体鎖取付部
６２，６２…アーム
６４…支持架
６４ａ…円環部
６４ｂ…内向きフランジ部
６６，６６…アーム
６６…アーム
６８…軸
６９…支持架鎖取付部
７０…小用フロート
７２…大用フロート
１００…支持架
１０２…突状部材
１０４…円環部
１１０…弁装置
１１２…支持架
１１２ａ…円環部
１１２ｂ…フランジ部
１１４…弁体
１１４ａ…切欠部
１２０…弁装置
１２２…弁体
１２２ａ…鎖取付部
１２４…第１支持架
１２４ａ…鎖取付部
１２６…第２支持架
１２６ａ…円環部
１２６ｂ…フランジ部
１２６ｃ…鎖取付部
１３０…弁装置
１３２…支持架
１３２ａ…支持架鎖取付部
１３４，１３４…アーム
１３６…オーバーフロー管
１４０…制動板取付部
１４２…制動板
１４４…弁体
１４６…小用フロート
１４８…小用玉鎖
１５０…排水口
１６０…弁装置
１６２…弁体
１６４…支持架
【図１】
0004254002.tif 000002
【図２】
0004254002.tif 000003
【図３】
0004254002.tif 000004
【図４】
0004254002.tif 000005
【図５】
0004254002.tif 000006
【図６】
0004254002.tif 000007
【図７】
0004254002.tif 000008
【図８】
0004254002.tif 000009
【図９】
0004254002.tif 000010
【図１０】
0004254002.tif 000011
【図１１】
0004254002.tif 000012
【図１２】
0004254002.tif 000013
【図１３】
0004254002.tif 000014
【図１４】
0004254002.tif 000015
【図１５】
0004254002.tif 000016
【図１６】
0004254002.tif 000017
【図１７】
0004254002.tif 000018
【図１８】
0004254002.tif 000019
【図１９】
0004254002.tif 000020